(57)【要約】  情報処理装置は、ユーザに属するデータを記憶する記憶部と、ユーザの移動先を予測する移動予測部と、ユーザに属するデータを、移動先に設置された装置に送信する送信部とを備える。
2016021721.tif 000002
【特許請求の範囲】
【請求項１】
ユーザに属するデータを記憶する記憶部と、
前記ユーザの移動先を予測する移動予測部と、
前記ユーザに属するデータを、前記移動先に設置された装置に送信する送信部と
を備える情報処理装置。
【請求項２】
ユーザを検出するユーザ検出部を備え、
前記送信部は、前記ユーザ検出部によりユーザが検出されなくなると、前記ユーザに属するデータを、前記移動先に設置された装置に送信する
請求項１に記載の情報処理装置。
【請求項３】
前記移動予測部は、前記ユーザの移動先に加えて、前記移動先への到着時刻を予測し、
前記送信部は、前記到着時刻までに、前記ユーザに属するデータを、前記移動先に設置された装置に送信する
請求項１に記載の情報処理装置。
【請求項４】
前記移動予測部は、前記ユーザの複数の移動先を予測し、
前記送信部は、前記ユーザに属するデータを、前記複数の移動先各々に設置された装置に送信する
請求項１に記載の情報処理装置。
【請求項５】
前記移動予測部は、前記ユーザの行動履歴、前記ユーザのスケジュール情報、前記ユーザの他サービスへの投稿情報または天気情報を用いて、前記移動先の予測を行う
請求項１に記載の情報処理装置。
【請求項６】
ユーザを撮像する撮像部を備え、
前記移動予測部は、前記撮像されたユーザの服装または所持品を用いて、前記移動先の予測を行う
請求項１に記載の情報処理装置。
【請求項７】
コンピュータを、
ユーザに属するデータを記憶する記憶部、
前記ユーザの移動先を予測する移動予測部、
前記ユーザに属するデータを、前記移動先に設置された装置に送信する送信部
として機能させるためのプログラム。
【発明の詳細な説明】
【技術分野】
【０００１】
本発明は、情報処理装置、およびプログラムに関する。
本願は、２０１４年８月８日に出願された日本国特許出願２０１４−１６２０８３号に基づき優先権を主張し、その内容をここに援用する。
【背景技術】
【０００２】
従来、編集や印刷出力手段等が接続される店舗内ＬＡＮを備えた印刷代行店舗内に、その店舗内ＬＡＮに接続される顧客用コンピュータが設置されていることがある。そして、複数の店舗のデータを管理するデータ管理センターのサーバーが接続される店舗外ネットワークに店舗内ＬＡＮを接続すると共に、ＩＤを与えられた顧客毎のそのサーバーの顧客別データ保存部に顧客が作成したデータ及び顧客に関連して作成されたデータを保存する。
【先行技術文献】
【特許文献】
【０００３】
【特許文献１】日本国特開２００２−０５６０８５号公報
【発明の概要】
【発明が解決しようとする課題】
【０００４】
しかしながら、上述のシステムにおいては、顧客などのユーザは、顧客用コンピュータなどの不特定多数のユーザが使用する情報処理装置で、過去に作成したデータなどのそのユーザに属するデータを用いた作業をするときは、外部に設置されたサーバーに保存されたそのユーザに属するデータを取得しなければならないため、データ量が多いときには、取得に時間を要してしまうことがあるという問題がある。【０００５】
本発明の態様は、不特定多数のユーザが使用する情報処理装置で、ユーザに属するデータを用いた作業をすぐに行うことができる情報処理装置、およびそのプログラムを提供する。
【課題を解決するための手段】
【０００６】
本発明の一態様は、ユーザに属するデータを記憶する記憶部と、前記ユーザの移動先を予測する移動予測部と、前記ユーザに属するデータを、前記移動先に設置された装置に送信する送信部とを備える情報処理装置である。【０００７】
また、本発明の他の態様は、コンピュータを、ユーザに属するデータを記憶する記憶部、前記ユーザの移動先を予測する移動予測部、前記ユーザに属するデータを、前記移動先に設置された装置に送信する送信部として機能させるためのプログラムである。
【発明の効果】
【０００８】
本発明の態様によれば、不特定多数のユーザが使用する情報処理装置で、ユーザに属するデータを用いた作業をすぐに行うことができる。
【図面の簡単な説明】
【０００９】
【図１】本発明の第１の実施形態による情報処理システムの構成を示す概略ブロック図である。
【図２】第１実施形態における情報処理装置の使用状況の例を示す概略図である。
【図３】第１実施形態における情報処理装置の構成を示す概略ブロック図である。
【図４】第１実施形態における移動予測部とデータ送信部の動作例を説明するフローチャートである。
【図５】本発明の第２の実施形態による情報処理装置の構成を示す概略ブロック図である。
【図６】本実施形態における移動予測部とデータ送信部の動作例を説明するフローチャートである。
【図７】本発明の第３の実施形態による情報処理部装置の構成を示す概略ブロック図である。
【発明を実施するための形態】
【００１０】
［第１の実施形態］
以下、図面を参照して、本発明の第１の実施形態について説明する。図１は、本発明の第１の実施形態による情報処理システムの構成を示す概略ブロック図である。本実施形態による情報処理システムは、複数の情報処理装置１と、ユーザ管理サーバ２と、ＳＮＳ（Social Networking Service）サーバ３と、ネットワーク４とを含んで構成される。情報処理装置１は、ユーザが利用する情報処理装置１であり、様々な場所に設置されている。なお、情報処理装置１のうち、少なくとも一つは、店舗などに設置されており、不特定多数のユーザが使用することができる。ユーザ管理サーバ２は、ユーザに属するデータなど、ユーザの情報を管理しているサーバである。ＳＮＳサーバ３は、いわゆるソーシャルネットワーキングサービスを提供するサーバであり、ユーザが投稿した情報を提供する。
【００１１】
図２は、情報処理装置１の使用状況の例を示す概略図である。図２において、情報処理装置１は、下方や、部屋の壁面に向かって画像を投影できるように、また、ユーザＵ１を撮影できるように、天井に設置されている。情報処理装置１は、記憶しているユーザデータや、ユーザＵ１のジェスチャーに応じた画像を投影する。情報処理装置１は、ユーザＵ１の移動先を予測して、情報処理装置１が記憶しているデータのうち、ユーザＵ１に属するデータを、予測した移動先に設置されている情報処理装置１に送信する。
【００１２】
なお、ユーザＵ１に属するデータには、例えば、壁紙として部屋の壁面や、床面に投影する環境画像や、各ジェスチャーと、そのジェスチャーをユーザＵ１が行ったときに情報処理装置１が行うべき処理との対応付けを示す情報、ユーザＵ１による各情報処理装置１の使用履歴、ユーザＵ１が所有しているコンテンツなどがある。また、情報処理装置１が行うべき処理には、例えば、特定のアプリケーションプログラムの実行や、実行中のアプリケーションプログラムが有する特定の機能の実行などがある。
【００１３】
図３は、情報処理装置１の構成を示す概略ブロック図である。情報処理装置１は、投影部１０１、撮像部１０２、ユーザ検出部１０３、ユーザデータ管理部１０４、ユーザデータ記憶部１０５、ジェスチャー検出部１０６、コンテンツ画像生成部１０７、環境画像生成部１０８、画像合成部１０９、移動予測部１１０、データ送信部１１１、通信部１１２を含んで構成される。
【００１４】
投影部１０１は、入力された画像を、情報処理装置１が設置されている部屋の壁面や床面に投影するプロジェクタである。撮像部１０２は、情報処理装置１が設置されている部屋内を撮像する。ユーザ検出部１０３は、撮像部１０２が撮像した画像からユーザを検出する。ユーザ検出部１０３は、例えば、顔認証などにより、検出したユーザを判別し、判別したユーザを示すユーザＩＤをユーザデータ管理部１０４に通知する。
【００１５】
ユーザデータ管理部１０４は、ユーザ検出部１０３からユーザＩＤを通知されると、以降、ユーザデータ記憶部１０５から、通知されてユーザＩＤのユーザに属するデータを読み出す。ユーザデータ記憶部１０５は、各ユーザに属するデータを、そのユーザのユーザＩＤと対応付けて記憶する。
【００１６】
ジェスチャー検出部１０６は、撮像部１０２が撮像した画像からユーザによるジェスチャーを検出する。ジェスチャーとは、ユーザがとった特定のポーズや、特定の動作である。ジェスチャー検出部１０６は、ユーザデータ管理部１０４が読み出したユーザに属するデータから、検出したジェスチャーと、そのジェスチャーを検出したときに行うべき処理との対応付けを示す情報を抽出する。ジェスチャー検出部１０６は、抽出した情報が対応付けている処理の実施を、コンテンツ画像生成部１０７に通知する。
【００１７】
コンテンツ画像生成部１０７は、ジェスチャー検出部１０６から通知された処理を実行し、コンテンツ画像を生成し、コンテンツ画像を投影する位置を決定する。コンテンツ画像生成部１０７は、このコンテンツ画像の生成や、投影位置の決定の際に、ユーザデータ管理部１０４が読み出した、ユーザに属するデータを用いてもよい。例えば、コンテンツ画像生成部１０７は、ユーザデータ管理部１０４が読み出した、ユーザに属するデータのうち、そのユーザが所有するコンテンツを再生することで、コンテンツ画像を生成し、ユーザに属するデータのうち、コンテンツを再生する際の投影位置を指定する情報に従い、投影位置を決定する。
【００１８】
環境画像生成部１０８は、ユーザデータ管理部１０４が読み出した、ユーザに属するデータのうち、壁紙として部屋の壁面や、床面に投影する環境画像を取得し、画像合成部１０９に入力する。画像合成部１０９は、環境画像生成部１０８から入力された画像に、コンテンツ画像生成部１０７が生成したコンテンツ画像を、コンテンツ画像生成部１０７が決定した位置に重ね合わせて、これらの画像を合成し、合成結果を投影部１０１に入力して投影させる。
【００１９】
移動予測部１１０は、ユーザ検出部１０３がユーザを検出しなくなると、ユーザデータ管理部１０４が読み出したユーザに属するデータであって、検出されなくなったユーザに属するデータや、ユーザ管理サーバ２、ＳＮＳサーバ３などから取得したそのユーザに関するデータ、ユーザが検出されなくなる前に撮像部１０２が撮像した画像から検出したユーザの行動、服装などのデータを取得する。移動予測部１１０は、取得したデータを参照して、ユーザの移動先を予測する。なお、移動予測部１１０は、複数の移動先を予測してもよい。
【００２０】
移動予測部１１０による移動先の予測は、例えば、ＳＮＳサーバ３、ユーザ管理サーバ２、ユーザデータ記憶部１０５などが記憶している、そのユーザのスケジュールに記載されている場所を、予測した移動先としてもよい。あるいは、そのユーザに属するデータに含まれる情報処理装置１の使用履歴から、そのときの曜日、時間帯、天候状態、あるいは、天気予報が示す天候状態に使用頻度が高い情報処理装置１の設置場所を、予測した移動先としてもよい。あるいは、撮像部１０２が撮像した画像から、そのユーザの服装、所持品を判定し、その判定結果に予め対応付けられた場所を移動先としてもよい。例えば、学校の制服を着ている、あるいは、登校する際に用いる鞄を所持していたら、移動先を学校と予測する。
【００２１】
データ送信部１１１は、通信部１１２を介して、移動予測部１１０が予測した移動先に設置されている情報処理装置１に、ユーザデータ管理部１０４が読み出したユーザに属するデータを送信する。なお、ユーザ管理サーバ２が、そのユーザに属するデータを記憶しているときは、データ送信部１１１は、ユーザデータ管理部１０４にユーザに属するデータの移動先への送信を依頼するようにしてもよい。
【００２２】
通信部１１２は、ネットワーク４を介して接続されている他の装置（情報処理装置１、ユーザ管理サーバ２、ＳＮＳサーバ３）と通信する。情報処理装置１の各部による他の装置との通信は、通信部１１２を介して行われる。また、通信部１１２は、他の情報処理装置１からユーザに属するデータを受信すると、そのデータをユーザデータ記憶部１０５に記憶させる。
【００２３】
図４は、移動予測部１１０とデータ送信部１１１の動作例を説明するフローチャートである。まず、移動予測部１１０は、撮像部１０２が撮像した画像からユーザ検出部１０３によりユーザが検出されなくなるまで待機する（ステップＳａ１、ステップＳａ２）。次に、移動予測部１１０は、ユーザデータ管理部１０４が読み出したユーザに属するデータであって、検出されなくなったユーザに属するデータのうち、情報処理装置１の使用履歴を取得する（ステップＳａ３）。次に、移動予測部１１０は、そのユーザに属するデータのうち、スケジュール情報を取得する（ステップＳａ４）。次に、移動予測部１１０は、ＳＮＳサーバ３に投稿されている情報のうち、そのユーザのスケジュールを表す情報を取得する（ステップＳａ５）。
【００２４】
移動予測部１１０は、ステップＳａ３からステップＳａ５にて取得した情報を用いて、ユーザの移動先を予測する（ステップＳａ６）。次に、データ送信部１１１は、ステップＳａ６で予測した移動先に情報処理装置１が設置されているか、否かを判定する（ステップＳａ７）。情報処理装置１が設置されていないときは（ステップＳａ７−Ｎｏ）、処理を終了する。一方、情報処理装置１が設置されているときは（ステップＳａ７−Ｙｅｓ）、ユーザデータ管理部１０４が読み出したユーザに属するデータを、移動先の情報処理装置１に送信し（ステップＳａ８）、処理を終了する。
【００２５】
なお、データ送信部１１１は、ユーザに属するデータのうち、一部を他の情報処理装置１に送信するようにしてもよい。例えば、移動先に設置されている情報処理装置１に機能の制限があったり、そのユーザが使用可能な機能の制限があったりするときに、その制限により使用できないデータは、送信するデータから除外するようにしてもよい。
【００２６】
このように、情報処理装置１は、ユーザデータ記憶部１０５と、移動予測部１１０、データ送信部１１１を備える。ユーザデータ記憶部１０５（記憶部）は、ユーザに属するデータを記憶する。移動予測部１１０は、ユーザの移動先を予測する。データ送信部１１１（送信部）は、ユーザに属するデータを、移動先に設置された情報処理装置１に送信する。
これにより、ユーザが予測された移動先に移動したときには、その移動先に設置されている情報処理装置１には、そのユーザに属するデータが送信されているので、情報処理装置１が不特定多数のユーザが使用する情報処理装置であっても、そのユーザに属するデータを用いた作業をすぐに行うことができる。
【００２７】
また、情報処理装置１は、ユーザを検出するユーザ検出部１０３を備える。さらに、データ送信部１１１は、ユーザ検出部１０３によりユーザが検出されなくなると、そのユーザに属するデータを、移動先に設置された情報処理装置１に送信する。
これにより、ユーザが情報処理装置１による検出範囲内におり、他の情報処理装置１を使用する可能性がない間は、他の情報処理装置１にそのユーザに属するデータを送信しないので、そのデータの無駄な送信を抑えることができる。
【００２８】
また、移動予測部１１０は、ユーザの複数の移動先を予測し、データ送信部１１１は、そのユーザに属するデータを、複数の移動先各々に設置された情報処理装置１に送信する。
これにより、移動先の予測の精度が低いときでも、ユーザの移動したときに、移動先の情報処理装置１に、そのユーザに属するデータが送信されている可能性を高くすることができる。
【００２９】
また、移動予測部１１０は、ユーザの行動履歴、ユーザのスケジュール情報、ユーザの他サービスへの投稿情報または天気情報を用いて、移動先の予測を行う。
これにより、過去の行動傾向、既に決まっているスケジュール、ユーザが他者に通知しているスケジュール、天気などに応じた予測を行い、移動先の予測の精度を上げることができる。
【００３０】
また、ユーザを撮像する撮像部を備え、移動予測部１１０は、撮像されたユーザの服装または所持品を用いて、移動先の予測を行う。
これにより、ユーザのそのときの服装や所持品に応じた予測を行い、移動先の予測の精度を上げることができる。
【００３１】
［第２の実施形態］
以下、図面を参照して、本発明の第２の実施形態について説明する。第２の実施形態における情報処理システムも、図１と同様の構成であるが、情報処理装置１に変えて、情報処理装置１ａを有する点が異なる。
【００３２】
図５は、情報処理装置１ａの構成を示す概略ブロック図である。同図において、図３の各部に対応する部分には、同一の符号（１０１〜１０９、１１２）を付し、説明を省略する。情報処理装置１ａは、投影部１０１、撮像部１０２、ユーザ検出部１０３、ユーザデータ管理部１０４、ユーザデータ記憶部１０５、ジェスチャー検出部１０６、コンテンツ画像生成部１０７、環境画像生成部１０８、画像合成部１０９、移動予測部１１０ａ、データ送信部１１１ａ、通信部１１２を含んで構成される。
【００３３】
移動予測部１１０ａは、図３の移動予測部１１０と同様に移動先を予測するが、ユーザが検出されているときに予測を行う点と、ユーザの移動先への到着時刻を予測する点が、図３の移動予測部１１０とは異なる。なお、到着時刻は、スケジュールで指定されている時刻を用いてもよいし、ユーザが検出されなくなった時刻に、移動先までに要する時間を足したものを用いてもよい。
【００３４】
データ送信部１１１ａは、図３のデータ送信部１１１と同様に移動先に設置された情報処理装置１ａにユーザに属するデータを送信するが、ユーザが移動先に到着するまでにそのユーザに属するデータが送信されるように、送信を開始する時刻（送信開始時刻）を決定し、その時刻に送信を開始する点が異なる。データ送信部１１１ａは、その送信開始時刻を、移動予測部１１０ａが予測した到着時刻から、送信するデータの量に応じた時間だけ引いた時刻とする。なお、送信するデータの量に応じた時間は、例えば、データの量毎に、その時間とを対応付けて予め記憶していてもよいし、予め記憶された、データの量と時間との比を用いて算出してもよい。
【００３５】
図６は、移動予測部１１０ａとデータ送信部１１１ａの動作例を説明するフローチャートである。図６において、図４の各部に対応する部分には同一の符号（Ｓａ３〜Ｓａ５、Ｓａ７、Ｓａ８）を付し、説明を省略する。図６に示すフローチャートは、図４のフローチャートとは、ステップＳａ３の前に、ステップＳｂ１のみを有する点、ステップＳａ６に変えてステップＳｂ６を有する点、ステップＳａ７とステップＳａ８との間にステップＳｂ８、ステップＳｂ９を有する点が異なる。
【００３６】
ステップＳｂ１では、移動予測部１１０ａは、ユーザ検出部１０３がユーザを検出すると、撮像部１０２が撮像したユーザの画像を取得する。ステップＳｂ６では、移動予測部１１０ａは、移動先に加えて、ユーザの移動先への到着時刻を予測する。ステップＳｂ８では、データ送信部１１１ａは、ステップＳｂ６で予測された到着時刻と、ユーザに属するデータの量とから、送信開始時刻を算出する。ステップＳｂ９では、データ送信部１１１ａは、ステップＳｂ８で算出した送信開始時刻になるまで、待機する。
【００３７】
このように、情報処理装置１ａも、情報処理装置１と同様に、情報処理装置１ａが不特定多数のユーザが使用する情報処理装置であっても、そのユーザに属するデータを用いた作業をすぐに行うことができる。
さらに、移動予測部１１０ａは、ユーザの移動先に加えて、移動先への到着時刻を予測し、データ送信部１１１ａは、到着時刻までに、ユーザに属するデータを、移動先に設置された情報処理装置１に送信する。
これにより、移動時間が短いときなどに、ユーザが移動先に到着しても、そのユーザに属するデータの送信が完了していないといったことが発生するのを防ぐことができる。
【００３８】
［第３の実施形態］
以下、図面を参照して、本発明の第３の実施形態について説明する。第３の実施形態における情報処理システムも、図１と同様の構成であるが、情報処理装置１に変えて、情報処理装置１ｂを有する点が異なる。
【００３９】
図７は、情報処理装置１ｂの構成を示す概略ブロック図である。図７において、図３の各部に対応する部分には、同一の符号（１０４、１０５、１１０、１１１、１１２）を付し、説明を省略する。図７に示すように、情報処理装置１ｂは、ユーザ検出部１０３ｂ、ユーザデータ管理部１０４、ユーザデータ記憶部１０５、移動予測部１１０、データ送信部１１１、通信部１１２、無線ＬＡＮ部１１３、コマンド処理部１１４を含む。
【００４０】
無線ＬＡＮ部１１３は、スマートフォン、タブレットなど、ユーザが携帯している機器（以降、ユーザ機器という）と、ＷｉＦｉなどの無線ＬＡＮにより通信する。ユーザ検出部１０３ｂは、通信圏内に位置するユーザ機器からユーザＩＤを、無線ＬＡＮ部１１３を介して取得することで、ユーザを検出する。なお、ユーザ検出部１０３ｂは、ユーザ機器のＭＡＣアドレスなどの機器ＩＤをユーザ機器から取得し、予め記憶していた機器ＩＤとユーザＩＤとの対応付けを用いて、取得された機器ＩＤをユーザＩＤに変換してもよい。
【００４１】
コマンド処理部１１４は、ユーザ機器からのユーザに属するデータ（例えば、映像コンテンツ）の取得要求を、無線ＬＡＮ部１１３を介して取得する。コマンド処理部１１４は、この取得要求により要求されたデータを、ユーザデータ管理部１０４を介して、ユーザデータ記憶部１０５から読み出す。コマンド処理部１１４は、読み出したデータを、無線ＬＡＮ部１１３を介して、ユーザ機器に送信する。
【００４２】
なお、移動予測部１１０は、ユーザ機器のＧＰＳ（Global Positioning System）などによる位置情報を、無線ＬＡＮ部１１３を介して取得し、その位置情報を、ユーザの移動予測に用いてもよい。また、ユーザ機器の携帯基地局への接続情報や、ユーザ機器のWiFiアクセスポイントへの接続情報、さらにはユーザ機器に保存されている位置情報を含む行動履歴情報を用いて、ユーザの移動予測を行ってもよい。
また、ユーザ検出部１０３ｂによりユーザが検出されなくなったら、ユーザデータ管理部１０４が、そのユーザに属するデータをユーザデータ記憶部１０５から削除するようにしてもよい。この削除は、情報処理装置１ｂのうち、予め設定されているもの（例えば、ユーザの自宅に設置されているもの）以外で行われるようにすることができる。
【００４３】
このように、本実施形態においても、ユーザの移動に応じて、ユーザに属するデータが移動される。このため、例えば、自宅の情報処理装置１ｂに記録されている映像コンテンツを、外出先の情報処理装置１ｂに先回りコピーさせて、無線ＬＡＮによるローカルネットワーク接続で視聴することができる。これにより、ユーザは、ネットワーク４のトラフィック量に左右されずに、ユーザに属するデータを取得することができる。例えば、ユーザに属するデータが、映像コンテンツであれば、ユーザは、ネットワーク４のトラフィックに左右されずに、安定して視聴することができる。
【００４４】
本発明の一実施形態に係る情報処理装置１は、ユーザに属するデータを記憶するメモリ（ｍｅｍｏｒｙ、ユーザデータ記憶部１０５）と；（１）ユーザの移動先を予測し、（２）ユーザに属するデータを、移動先に設置された装置に送信する、ように構成された電気回路（ｃｉｒｃｕｉｔｒｙ、移動予測部１１０、データ送信部１１１、データ送信部１１１ａ）と；を備える。
【００４５】
また、図１における情報処理装置１や、情報処理装置１ａ、１ｂの機能を実現するためのプログラムをコンピュータ読み取り可能な記録媒体に記録して、この記録媒体に記録されたプログラムをコンピュータシステムに読み込ませ、実行することにより情報処理装置１、情報処理装置１ａ、１ｂを実現してもよい。なお、ここでいう「コンピュータシステム」とは、ＯＳや周辺機器等のハードウェアを含むものとする。
【００４６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４７】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００４８】
１、１ａ、１ｂ…情報処理装置
２…ユーザ管理サーバ
３…ＳＮＳサーバ
４…ネットワーク
１０１…投影部
１０２…撮像部
１０３…ユーザ検出部
１０４…ユーザデータ管理部
１０５…ユーザデータ記憶部
１０６…ジェスチャー検出部
１０７…コンテンツ画像生成部
１０８…環境画像生成部
１０９…画像合成部
１１０、１１０ａ…移動予測部
１１１、１１１ａ…データ送信部
１１２…通信部
【図１】
2016021721.tif 000003
【図２】
2016021721.tif 000004
【図３】
2016021721.tif 000005
【図４】
2016021721.tif 000006
【図５】
2016021721.tif 000007
【図６】
2016021721.tif 000008
【図７】
2016021721.tif 000009
【国際調査報告】
2016021721.tif 000010
2016021721.tif 000011
2016021721.tif 000012
2016021721.tif 000013